(57)【要約】      （修正有）【課題】競技者の競技中における競技者の体温上昇を抑え、身体への負荷を軽減する装着具を提供する。【解決手段】装着具１０は、第１の布１と第２の布２とを有する。第１の布１は、中央部１１と、第１の粘着テープ部１２と、第１の粘着テープ１２と反対方向に延在する第２、第３の粘着テープ部１３、１４とを有する。第２の布２は、真円状をなし、中央部１１との間に保冷剤を収納する収納スペースＸができるようにして中央部１１上に張り付けられている。第２の布２には、保冷剤５０を収納スペースＸに入れるための開口部３０が設けられている。【選択図】図１
0003178908.tif 000002
【実用新案登録請求の範囲】
【請求項１】
保冷剤または保温剤を競技者の脇の下に装着する装着具であって、
中央部と、前記中央部から第１の方向に向かって延在する第１の粘着テープ部と、前記中央部における前記第１の粘着テープ部の基端の部分と反対側の部分を基端として前記第１の方向と反対の第２の方向に向かって延在する第２及び第３の粘着テープ部とを有する第１の布と、
前記中央部との間に前記保冷剤または保温剤を収納する収納スペースができるようにして前記中央部上に張り付けられた第２の布であって、前記保冷剤または保温剤を前記収納スペースに入れるための開口部が設けられた第２の布と
を具備することを特徴とする装着具。
【請求項２】
前記中央部における前記収納スペース側に臨む部分に断熱フィルムが貼付されていることを特徴とする請求項１に記載の装着具。
【請求項３】
前記第１の粘着テープ部、前記第２の粘着テープ部、及び前記第３の粘着テープ部における前記第２の布が張り付けられた側の面に粘着剤が塗布されていることを特徴とする請求項２に記載の装着具。
【請求項４】
前記第１の粘着テープ部の先端、前記第２の粘着テープ部の先端、及び前記第３の粘着テープ部の先端が半円状に湾曲していることを特徴とする請求項３に記載の装着具。
【請求項５】
前記第１の粘着テープ部、前記第２の粘着テープ部、前記第３の粘着テープ部の長さが同じであることを特徴とする請求項４に記載の装着具。
【請求項６】
前記第２の布は、前記第１の布よりも保湿性の高い布であることを特徴とする請求項５に記載の装着具。
【請求項７】
前記第２の布における前記開口部の内縁に沿って環状のゴムが設けられていることを特徴とする請求項６に記載の装着具。
【請求項８】
前記第２の布は、前記中央部における前記第１の粘着テープ部の基端と前記第２及び第３の粘着テープ部の基端との真中の位置よりも前記第２及び第３の粘着テープ部側に張り付けられた大布と前記真中の位置よりも前記第１の粘着テープ部側に張り付けられた小布とからなり、前記大布の縁は前記小布の上に食み出したフラップ部を成しており、このフラップ部を開くと前記大布と前記小布との間に開口が現れるように構成されていることを特徴とする請求項６に記載の装着具。
【考案の詳細な説明】
【技術分野】
【０００１】
この考案は、競技者のパフォーマンス力を高める技術に関する。
【背景技術】
【０００２】
スポーツの競技者の身体をケアする各種技術が提案されている。例えば、特許文献１には、スポーツの競技者の襟足を冷却することにより体温の過度の上昇を抑えるようにした技術の開示がある。同文献１に開示された襟足冷却具は、三日月状の本体部と、本体部の上縁に連結された首あて部と、これら両部内に装填された保水材とを有する。この襟足冷却具を競技者の首に装着すると、保水材から水分が蒸発する際の気化作用によって着用者の後方首筋が冷却される。よって、この技術によると、競技者の競技中あるいは競技後の体温の上昇が抑えられ、身体への負荷が軽減される。
【先行技術文献】
【特許文献】
【０００３】
【特許文献１】特開２０００−３２８３１８号公報
【考案の概要】
【考案が解決しようとする課題】
【０００４】
ところで、人間の脇は、汗腺の数が他の部位よりも多く、動脈が集中している。よって、スポーツの競技中に競技者の脇を保冷剤により冷却できれば、競技中における競技者の体温の上昇を効果的に抑えることができるはずであるが、このような技術は未だ実用化に至っていない。
【０００５】
本考案は、このような課題に鑑みてなされたものであり、スポーツの競技中における競技者の体温の上昇を効果的に抑えて身体への負荷を軽減できるようにすることを目的とする。
【課題を解決するための手段】
【０００６】
上記課題を解決するため、本考案は、保冷剤または保温剤を競技者の脇の下に装着する装着具であって、中央部と、前記中央部から第１の方向に向かって延在する第１の粘着テープ部と、前記中央部における前記第１の粘着テープ部の基端の部分と反対側の部分を基端として前記第１の方向と反対の第２の方向に向かって延在する第２及び第３の粘着テープ部とを有する第１の布と、前記中央部との間に前記保冷剤または保温剤を収納する収納スペースができるようにして前記中央部上に張り付けられた第２の布であって、前記保冷剤または保温剤を前記収納スペースに入れるための開口部が設けられた第２の布とを具備する装着具を提供する。
【０００７】
本考案では、第１の布と第２の布との間に収納スペースがあり、第２の布に開口部がある。このため、本考案では、開口部を外側に押し広げて同部から保冷剤を収納スペース内に入れることができる。また、本考案では、中央部から相対向する方向に向かって延在する第１の粘着テープ部と第２の粘着テープ部及び第３の粘着テープ部がある。このため、本考案では、第２の粘着テープ部を競技者の胸に張り付け、第３の粘着テープ部を競技者の腕の付根の前側の部分に張り付け、第１の粘着テープ部を競技者の背中における肩甲骨の部分に張り付けることにより、装着具の中央部を競技者の脇に密着させ、中央部の収納スペース内の保冷剤と脇との間の熱交換を促すことができる。また、人間の脇は、身体の中で静脈が最も集中している部位であるとともに、汗腺が最も集中している部位でもある。よって、競技者の脇に保冷剤をあてた場合の冷却効果は他の部位に保冷剤をあてた場合の冷却効果よりも高い。従って、本考案によると、競技者の競技中における競技者の体温上昇を抑え、身体への負荷を軽減することができる。
【図面の簡単な説明】
【０００８】
【図１】本考案の第１実施形態である装着具の正面図及び側断面図である。
【図２】同装着具の収納スペース内に保冷剤を入れる様子を示す図である。
【図３】同装着具の装着の様子を示す図である。
【図４】本考案の第２実施形態である装着具の正面図及び側断面図である。
【図５】同装着具の収納スペース内に保冷剤を入れる様子を示す図である。
【考案を実施するための形態】
【０００９】
以下、図面を参照しつつ本考案の実施形態について説明する。
＜第１実施形態＞
図１（Ａ）は、本考案の第１実施形態である装着具１０の正面図である。図１（Ｂ）は、装着具１０の断面を左から見た図である。この装着具１０は、各種スポーツの競技者の脇の下にゲル状保冷剤５０を装着するためのものである。装着具１０は、２枚の布１（第１の布）および２（第２の布）を一体化したものである。２枚の布１および２のうち布１は、長さＬ（例えば、Ｌ＝１００ｍｍ）、幅Ｗ（例えば、Ｗ＝３０ｍｍ）、厚さＨ（例えば、Ｈ＝２ｍｍ）の寸法を有している。布１は、伸縮性を持った織布（例えば、綿糸とウレタンゴム糸を素材とする織布）を裁断したものである。
【００１０】
布１は、中央部１１と、粘着テープ部１２（第１の粘着テープ部）と、粘着テープ部１３（第２の粘着テープ部）と、粘着テープ部１４（第３の粘着テープ部）とを有する。中央部１１は、等脚台形の一対の脚（きゃく）を外側に凸ませたような形状を有している。中央部１１における幅Ｗ方向に対向する側縁ＲＭＬ及びＲＭＲは湾曲している。粘着テープ部１２は、中央部１１から長さＬ方向と平行な方向（第１の方向）に向かって延在しており、粘着テープ部１３及び１４は、中央部１１における粘着テープ部１２の基端の部分と反対側の部分を基端とし、粘着テープ部１２の延在方向と反対側の方向（第２の方向）に向かって延在している。
【００１１】
より詳細に説明すると、粘着テープ部１２は、長さＬ１（例えば、Ｌ１＝３０ｍｍ）、幅Ｗ２（例えば、Ｗ２＝１５ｍｍ）の寸法を有している。粘着テープ部１２の先端２２は半円状に湾曲している。粘着テープ部１２の表面ＳＦ１２には粘着剤が塗布されている。粘着テープ部１３は、長さＬ１、幅Ｗ３（例えば、Ｗ３＝１０ｍｍ）の寸法を有している。粘着テープ部１３の先端２３は半円状に湾曲している。粘着テープ部１３の表面ＳＦ１３には粘着剤が塗布されている。粘着テープ部１４は、長さＬ１、幅Ｗ３の寸法を有している。粘着テープ部１４の先端２４は半円状に湾曲している。粘着テープ部１４の表面ＳＦ１４には粘着剤が塗布されている。中央部１１における粘着テープ部１３の基端の部分と粘着テープ部１４の基端の部分は幅Ｗ方向に距離Ｗ５（例えば、Ｗ５＝５ｍｍ）だけ離れている。
【００１２】
布２は、布１よりも高い保水性を持った素材からなる。布２は、布１の中央部１１との間に保冷剤５０を収納する収納スペースＸができるようにして中央部１１上に張り付けられている。また、布２には、保冷剤５０を収納スペースＸに入れるための開口部３０が設けられている。より詳細に説明すると、布２は、真円状をなしている。布２は、中央部１１における粘着テープ部１２の基端の位置と粘着テープ部１３及び１４の基端の位置の間の幅よりも僅かに小さい直径を有している。布２の中央部１１側を向いた面における周縁の部分は接着剤により中央部１１に接着されている。布１の側縁ＲＭＬおよびＲＭＲと布２の周縁との間の幅は同じになっている。また、布２の開口部３０は真円状をなしている。布２の開口部３０は布２の中心にある。布２における開口部３０の内縁には環状のゴム３１が設けられている。また、布１の中央部１１における収納スペースＸ側に臨む部分には断熱フィルム３２が貼付されている。
【００１３】
以上が、本実施形態の構成の詳細である。本実施形態によると次の効果が得られる。
第１に、本実施形態では、布１の中央部１１と布２との間に収納スペースＸがあり、布２に開口部３０がある。このため、本実施形態では、図２に示すように、開口部３０を外側に押し広げて同部３０から収納スペースＸ内に保冷剤５０を入れることができる。また、本実施形態では、中央部１１から相対向する方向に向かって延在する粘着テープ部１２と粘着テープ部１３及び１４とがある。このため、本実施形態では、図３の例（装着具１０を左の脇に装着する例）に示すように、粘着テープ部１３を競技者の胸に貼り付け、粘着テープ部１４を競技者の左腕の付根の前側の部分に貼り付け、粘着テープ部１２を競技者の背中における肩甲骨の部分に貼り付けることにより、装着具１０の中央部１１を競技者の脇に密着させ、中央部１１の収納スペースＸ内の保冷剤５０と脇との間の熱交換（冷却）を促すことができる。また、人間の脇は、身体の中で静脈が最も集中している部位であるとともに、汗腺が最も集中している部位でもある。よって、競技者の脇に保冷剤５０をあてた場合の身体の冷却効果は他の部位に保冷剤５０をあてた場合の冷却効果よりも高い。従って、本実施形態によると、競技者の競技中における体温の上昇を抑え、身体への負荷を軽減することができる。ここで、装着具１０を右の脇に装着する場合は、粘着テープ部１３を競技者の右腕の付根の前側の部分に貼り付け、粘着テープ部１４を競技者の胸に貼り付け、粘着テープ部１２を競技者の背中における肩甲骨の部分に貼り付けるとよい。
【００１４】
第２に、本実施形態では、中央部１１における収納スペースＸ側に臨む部分に断熱フィルム３２が貼付されている。よって、本実施形態によると、断熱フィルム３２のないものよりも収納スペースＸ内の保冷剤５０の冷却効率が高くなる。従って、本実施形態によると、競技者の体温上昇を抑制できる時間を長くすることができる。
【００１５】
第３に、本実施形態では、布２における開口部３０の内縁に沿って環状のゴム３１が設けられている。このため、競技者がその脇に装着具１０を装着して運動している間は開口部３０の口径は小さくなっており、競技者が腕を激しく振っても収納スペースＸ内の保冷剤５０がその外に出ることはない。従って、本実施形態によると、競技者の競技中に保冷剤５０が収納スペースＸの外に出て競技者に違和感を与える、という事態の発生を防止することができる。
【００１６】
第４に、本実施形態では、粘着テープ部１２、１３、１４の各々の先端２２，２３，２４が半円状をなしている。このため、粘着テープ部１２、１３、１４の各々の先端２２，２３，２４が矩形状になっているものに比べて身体から剥がれ難くなる。よって、本実施形態によると、競技者の競技中に粘着テープ部１２，１３，１４の先端２２，２３，２４が身体から剥がれて競技者に違和感を与える、という事態の発生を防止することができる。
【００１７】
第５に、本実施形態では、粘着テープ部１２，１３，１４の長さが同じになっている。このため、本実施形態では、粘着テープ部１３を胸（または腕）に、粘着テープ部１４を腕（または胸）に、粘着テープ部１２を背中に各々張り付けた状態において、粘着テープ部１２，１３，１４が中央部１１を引っ張る力が均等になる。よって、本実施形態によると、粘着テープ部１２，１３，１４の長さが同じでないものを脇に装着した場合よりも脇から外れ難くなる。
【００１８】
第６に、本実施形態では、布２が布１よりも保湿性の高い素材により形成されている。このため、布２は、競技者の身体から出る汗を保有し易い。そして、布２が汗を吸ってその水分の含有量が大きくなると、保冷剤５０及び身体間の熱交換効率が高まる。よって、本実施形態によると、脇の冷却効率をより高めることができる。
【００１９】
＜第２実施形態＞
図４（Ａ）は、本考案の第２実施形態である装着具１０Ａの正面図である。図４（Ｂ）は、装着具１０Ａの側断面を左から見た図である。図４（Ａ）及び図４（Ｂ）において、装着具１０のものと同じ要素には同一の符号を付し、これらについての再度の説明を割愛する。この装着具１０Ａの布２Ａは、大布４０と小布４１とからなる。大布４０は、布１の中央部１１における粘着テープ部１２の基端と粘着テープ部１３及び１４の基端と間の真中の位置よりも粘着テープ部１３及び１４側に張り付けられている。小布４１は、布１の中央部１１における粘着テープ部１２の基端と粘着テープ部１３及び１４の基端との間の真中の位置よりも粘着テープ部１２側に張り付けられている。この装着具１０Ａでは、大布４０の縁は小布４１の上に食み出したフラップ部ＦＬを成している。そして、図５に示すように、この装着具１０Ａでは、フラップ部ＦＬを開くと大布４０と小布４１の間に開口部３０Ａが現れ、この開口部３０Ａから収納スペースＸ内に保冷剤５０を入れられるように構成されている。本実施形態によっても、第１実施形態と同様の効果を奏することができる。
【００２０】
以上、本考案の第１及び第２実施形態について説明したが、かかる実施形態に以下の変形を加えてもよい。
（１）上記実施形態では、装着具１０の収納スペースＸには保冷剤５０が収納された。しかし、この収納スペースＸにカイロなどの保温剤を収納してもよい。
（２）上記実施形態における長さＬ、Ｌ１、幅Ｗ、Ｗ２、Ｗ３、厚さＨは例示に過ぎず、長さＬ、Ｌ１、幅Ｗ、Ｗ２、Ｗ３、厚さＨを上記実施形態と異なる値としてもよい。
【符号の説明】
【００２１】
１，２，２Ａ…布、１０，１０，１０Ａ…装着具、１１…中央部、１２，１３，１４…粘着テープ部、３０，３０Ａ…開口部、３１…ゴム、３２…断熱シート、５０…保冷剤。
【図１】
0003178908.tif 000003
【図２】
0003178908.tif 000004
【図３】
0003178908.tif 000005
【図４】
0003178908.tif 000006
【図５】
0003178908.tif 000007